(57)【特許請求の範囲】
【請求項１】
ＬＥＤ電源装置であって、
交流電源から直流の第１の出力電流を生成して該第１の出力電流を第１のＬＥＤに供給する第１の直流電源回路と、
第１の電流目標値に基づいて前記第１の直流電源回路に前記第１の出力電流を出力させる第１の駆動制御回路と、
前記交流電源から直流の第２の出力電流を生成して該第２の出力電流を第２のＬＥＤに供給する第２の直流電源回路と、
第２の電流目標値に基づいて前記第２の直流電源回路に前記第２の出力電流を出力させる第２の駆動制御回路と、
入力される調光信号に基づいて前記第１及び第２の電流目標値を決定し、該第１及び第２の電流目標値を前記第１及び第２の駆動制御回路にそれぞれ出力する調光制御回路と、
前記第１の直流電源回路が停止した場合には前記第２の電流目標値を所定値に保持し、前記第２の直流電源回路が停止した場合には前記第１の電流目標値を所定値に保持する動作保持手段と
を備え、
前記動作保持手段が、前記第１の直流電源回路の動作に基づいて生成される第１の制御電圧及び前記第２の直流電源回路の動作に基づいて生成される第２の制御電圧を前記調光制御回路に供給する回路を備え、前記調光制御回路が、前記第１及び第２の制御電圧の一方の供給によって動作可能に構成され、
前記調光制御回路が、前記第１及び第２の制御電圧の供給状態を検出する制御電圧検出手段を備え、前記第１の制御電圧が実質的に供給されなくなったことが検出された場合に前記第２の電流目標値を上昇させ、又は前記第２の電流目標値を全光出力に対応する値に決定し、前記第２の制御電圧が実質的に供給されなくなったことが検出された場合に前記第１の電流目標値を上昇させ、又は前記第１の電流目標値を全光出力に対応する値に決定するように構成された、ＬＥＤ電源装置。
【請求項２】
ＬＥＤ電源装置であって、
交流電源から直流の第１の出力電流を生成して該第１の出力電流を第１のＬＥＤに供給する第１の直流電源回路と、
第１の電流目標値に基づいて前記第１の直流電源回路に前記第１の出力電流を出力させる第１の駆動制御回路と、
前記交流電源から直流の第２の出力電流を生成して該第２の出力電流を第２のＬＥＤに供給する第２の直流電源回路と、
第２の電流目標値に基づいて前記第２の直流電源回路に前記第２の出力電流を出力させる第２の駆動制御回路と、
入力される調光信号に基づいて前記第１及び第２の電流目標値を決定し、該第１及び第２の電流目標値を前記第１及び第２の駆動制御回路にそれぞれ出力する調光制御回路と、
前記第１の直流電源回路が停止した場合には前記第２の電流目標値を所定値に保持し、前記第２の直流電源回路が停止した場合には前記第１の電流目標値を所定値に保持する動作保持手段と
を備え、
前記動作保持手段が、前記第１の直流電源回路の動作に基づいて生成される第１の制御電圧を前記調光制御回路に供給する回路と、前記第１の直流電源回路及び前記調光制御回路が動作を停止した場合に、前記第２の直流電源回路の動作に基づいて生成される第２の制御電圧から生成される固定電圧値を前記第２の電流目標値として出力する回路とを備えた、ＬＥＤ電源装置。
【請求項３】
請求項２に記載のＬＥＤ電源装置において、前記固定電圧値が、全光出力に対応する電流目標値以上の値に設定された、ＬＥＤ電源装置。
【請求項４】
請求項１から３のいずれか一項に記載のＬＥＤ電源装置であって、
前記第１の出力電流を検出して第１の電流検出値を出力する第１の電流検出回路と、
前記第２の出力電流を検出して第２の電流検出値を出力する第２の電流検出回路と
を更に備え、前記第１の駆動制御回路が、前記第１の電流検出値と前記第１の電流目標値が一致するように前記第１の出力電流を定電流制御するように構成され、前記第２の駆動制御回路が、前記第２の電流検出値と前記第２の電流目標値が一致するように前記第２の出力電流を定電流制御するように構成された、ＬＥＤ電源装置。
【請求項５】
請求項１から４のいずれか一項に記載のＬＥＤ電源装置において、前記第１の直流電源回路、前記第１の駆動制御回路及び前記調光制御回路を含む第１の電源装置が第１の基板に実装され、前記第２の直流電源回路及び前記第２の駆動制御回路を含む第２の電源装置が第２の基板に実装されたＬＥＤ電源装置。
【請求項６】
請求項１から５のいずれか一項に記載のＬＥＤ電源装置と、前記第１のＬＥＤを有する第１のＬＥＤモジュールと、前記第２のＬＥＤを有する第２のＬＥＤモジュールとを備えたＬＥＤ照明装置。
【発明の詳細な説明】
【技術分野】
【０００１】
本発明は、ＬＥＤ電源装置及びそれを用いたＬＥＤ照明装置に関する。
【背景技術】
【０００２】
特許文献１は、トンネルの照明装置を開示する。この照明装置では、トンネルに沿って配線されたパワーケーブルに所定の間隔で複数の照明器具が連結され、各照明器具は、パワーケーブルから分岐接続された複数の電源回路、及び複数の電源回路にそれぞれ接続されたＬＥＤ光源を備える。
【０００３】
特許文献２は、ＬＥＤを点灯する電源装置を開示する。電源装置は、ＬＥＤに定電流を出力してＬＥＤを点灯させる定電流電源部と、ＬＥＤの構成とＬＥＤの調光度と定電流電源部から出力される定電流の電流値との対応関係を予め記憶する記憶部と、調光度を指令する調光器に接続され、ＬＥＤの構成と調光度との組み合わせに対応する電流値を記憶部から読み出し、読み出した電流値の定電流を定電流電源部に出力させる制御部とを備える。
【先行技術文献】
【特許文献】
【０００４】
【特許文献１】特開２０１１−１４２０２６号公報
【特許文献２】特開２０１２−１７５８８７号公報
【発明の概要】
【発明が解決しようとする課題】
【０００５】
ところで、道路灯用のＬＥＤ照明装置においては、ＬＥＤ照明装置に含まれるＬＥＤ電源装置の故障時においても消灯状態とならないように、２系統出力の構成が要求される。具体的には、１つのＬＥＤ照明装置において、交流電源ラインから分岐された２つのＬＥＤ電源装置とそれぞれに接続される２つのＬＥＤモジュールが搭載されることになる。これにより、一方の系統のＬＥＤ電源装置又はＬＥＤモジュールが故障等により消灯した場合であっても、他方の系統のＬＥＤ電源装置及びＬＥＤモジュールによる点灯状態が得られ、ＬＥＤ照明装置全体としては消灯状態が回避される。そして近年では、省エネ等の観点から、道路灯においても一般照明と同様に調光点灯が導入されている。したがって、特許文献１に開示されるような複数の並列接続された電源回路及びＬＥＤ光源の構成の各々に、特許文献２に開示されるような調光用の構成を適用すれば、１つのＬＥＤ照明装置における２系統調光出力が可能となるはずである。
【０００６】
上記のような２系統調光出力の構成例として、図６に、参照例によるＬＥＤ電源装置１０５及びＬＥＤ照明装置１５５のブロック図を示す。図６に示すように、ＬＥＤ照明装置１５５は、交流電源ＡＣ（交流ラインＬ１及びＬ２）から分岐接続された２組の電源装置１０５Ａ及び１０５ＢからなるＬＥＤ電源装置１０５並びに電源装置１０５Ａ及び１０５Ｂにそれぞれ接続されたＬＥＤモジュール７００Ａ及び７００Ｂを含む。電源装置の一部で故障が発生すると、多くの場合、入力段の電流ヒューズが溶断する。したがって、図６に示すように、電流ヒューズの前段、すなわち、交流ラインＬ１及びＬ２において系統を分離する必要がある。電源装置１０５Ａ及び１０５Ｂは、それぞれ、直流電源回路２００Ａ及び２００Ｂ、検出回路３００Ａ及び３００Ｂ、補助電源回路４００Ａ及び４００Ｂ、駆動制御回路５００Ａ及び５００Ｂ並びに調光制御回路６０５Ａ及び６０５Ｂを備える（上記各回路の詳細は、後述する実施形態の説明により明らかになる）。調光制御回路６０５Ａ及び６０５Ｂはそれぞれ、電圧レギュレータ回路６１０Ａ及び６１０Ｂ、マイコンを含む電流制御回路６２５Ａ及び６２５Ｂ、並びに調光入力回路６３０Ａ及び６３０Ｂを含む。調光信号発生源Ｄからの調光信号は、端子Ｔ７Ａ及びＴ８Ａを介して調光入力回路６３０Ａに入力されるとともに、端子Ｔ７Ａ及びＴ８Ａにおいて配線分岐されて端子Ｔ７Ｂ及びＴ８Ｂを介して調光入力回路６３０Ｂに入力される。しかし、このような構成によると、ＬＥＤ電源装置１０５及びＬＥＤ照明装置１５５の高コスト化及び調光配線の複雑化が問題となる。
【０００７】
そこで、本発明は、一方の出力系統が停止しても他方の出力系統の動作によって消灯回避可能な２系統調光出力用のＬＥＤ電源装置及びそれを用いたＬＥＤ照明装置において、低コスト化及び調光配線の簡素化を実現することを課題とする。
【課題を解決するための手段】
【０００８】
本発明のＬＥＤ電源装置は、交流電源から直流の第１の出力電流を生成して第１の出力電流を第１のＬＥＤに供給する第１の直流電源回路と、第１の電流目標値に基づいて第１の直流電源回路に第１の出力電流を出力させる第１の駆動制御回路と、交流電源から直流の第２の出力電流を生成して第２の出力電流を第２のＬＥＤに供給する第２の直流電源回路と、第２の電流目標値に基づいて第２の直流電源回路に第２の出力電流を出力させる第２の駆動制御回路と、入力される調光信号に基づいて第１及び第２の電流目標値を決定し、第１及び第２の電流目標値を第１及び第２の駆動制御回路にそれぞれ出力する調光制御回路と、第１の直流電源回路が停止した場合には第２の電流目標値を所定値に保持し、第２の直流電源回路が停止した場合には第１の電流目標値を所定値に保持する動作保持手段とを備える。
【０００９】
上記ＬＥＤ電源装置によると、調光信号に基づく第１及び第２の電流目標値を第１及び第２の駆動制御回路にそれぞれ出力する調光制御回路と、第１又は第２の直流電源回路が停止した場合には第２又は第１の電流目標値を所定値に保持する動作保持手段を備える。すなわち、一方の系統の停止による他方の系統の消灯が回避される機能を確保しつつも、１つの調光制御回路が２系統出力において共有される構成が実現される。このように、２系統調光出力用のＬＥＤ電源装置において、低コスト化及び調光配線の簡素化が可能となる。
【００１０】
ここで、動作保持手段が、第１の直流電源回路の動作に基づいて生成される第１の制御電圧及び第２の直流電源回路の動作に基づいて生成される第２の制御電圧を調光制御回路に供給する回路を備え、調光制御回路が、第１及び第２の制御電圧の一方の供給によって動作可能に構成される。これにより、第１又は第２の直流電源回路が停止した場合であっても調光制御回路の制御電圧が確保され、第２又は第１の電流目標値が出力されるので、一方の系統のＬＥＤが消灯しても他方の系統のＬＥＤの調光制御が確実に実行される。
【００１１】
また、調光制御回路が、第１及び第２の制御電圧の供給状態を検出する制御電圧検出手段を備え、第１の制御電圧が実質的に供給されなくなったことが検出された場合に第２の電流目標値を上昇させ、又は第２の電流目標値を全光出力に対応する値に決定し、第２の制御電圧が実質的に供給されなくなったことが検出された場合に第１の電流目標値を上昇させ、又は第１の電流目標値を全光出力に対応する値に決定するように構成してもよい。これにより、２系統のＬＥＤのうちの一方の系統のＬＥＤが消灯した場合であっても、他方の系統のＬＥＤが増光され、又は全光状態となるので２系統のＬＥＤ全体としての減光度が軽減される。
【００１２】
また、動作保持手段が、第１の直流電源回路の動作に基づいて生成される第１の制御電圧を調光制御回路に供給する回路と、第１の直流電源回路及び調光制御回路が動作を停止した場合に、第２の直流電源回路の動作に基づいて生成される第２の制御電圧から生成される固定電圧値を第２の電流目標値として出力する回路とを備えるようにしてもよい。これにより、調光制御回路の制御電圧が第１の直流電源回路の動作のみに基づいて生成される構成が可能となり、調光制御回路周辺の配線が簡素化される。
【００１３】
また更に、上記固定電圧値が、全光出力に対応する電流目標値以上の値に設定されるようにしてもよい。これにより、一方の系統の第１のＬＥＤが消灯した場合であっても、他方の系統の第２のＬＥＤが全光状態又は増光状態となるので２系統のＬＥＤ全体としての減光の度合いが軽減される。
【００１４】
また、第１の出力電流を検出して第１の電流検出値を出力する第１の電流検出回路と、第２の出力電流を検出して第２の電流検出値を出力する第２の電流検出回路とが更に設けられ、第１の駆動制御回路が、第１の電流検出値と第１の電流目標値が一致するように第１の出力電流を定電流制御するように構成され、第２の駆動制御回路が、第２の電流検出値と第２の電流目標値が一致するように第２の出力電流を定電流制御するように構成される。このように、第１及び第２の駆動制御回路が第１及び第２の出力電流をそれぞれフィードバック制御する構成においても、本発明のＬＥＤ電源装置の構成が好適に適用される。
【００１５】
また、第１の直流電源回路、第１の駆動制御回路及び調光制御回路を含む第１の電源装置が第１の基板に実装され、第２の直流電源回路及び第２の駆動制御回路を含む第２の電源装置が第２の基板に実装される。この構成により、１つの調光制御回路を共有する第１の電源装置と第２の電源装置とが簡素な配線で接続される。
【００１６】
本発明のＬＥＤ照明装置は、上記いずれかのＬＥＤ電源装置と、第１のＬＥＤを有する第１のＬＥＤモジュールと、第２のＬＥＤを有する第２のＬＥＤモジュールとを備える。これにより、上記の各効果を享受するＬＥＤ照明装置が実現される。
【図面の簡単な説明】
【００１７】
【図１】本発明の第１の実施形態によるＬＥＤ電源装置及びＬＥＤ照明装置を示す図である。
【図２】第１の実施形態のＬＥＤ電源装置における駆動制御回路及び調光制御回路を示す図である。
【図３】本発明の第２の実施形態のＬＥＤ電源装置における駆動制御回路及び調光制御回路を示す図である。
【図４】本発明の第３の実施形態のＬＥＤ電源装置における駆動制御回路及び調光制御回路を示す図である。
【図５】本発明の変形例によるＬＥＤ電源装置及びＬＥＤ照明装置を示す図である。
【図６】参照例によるＬＥＤ電源装置及びＬＥＤ照明装置を示す図である。
【発明を実施するための形態】
【００１８】
＜第１の実施形態＞
図１に、本発明の第１の実施形態によるＬＥＤ電源装置１００及びそれを用いたＬＥＤ照明装置１５０の回路構成を示す。ＬＥＤ照明装置１５０は、電源装置１００Ａ及び１００ＢからなるＬＥＤ電源装置１００並びに電源装置１００Ａ及び１００Ｂにそれぞれ接続されるＬＥＤモジュール７００Ａ及び７００Ｂを含む。電源装置１００Ａと電源装置１００Ｂとは個別の基板に実装され、例えば１つの筐体に収容される。なお、本明細書を通じて、実質的に同じ構成要素には同じ符号を付すとともに、相互に対応する構成要素の符号の末尾に「Ａ」又は「Ｂ」を付し、実質的に同じ構成要素に関する重複する説明を省略する。
【００１９】
交流電源ＡＣからの交流ラインＬ１及びＬ２は、電源装置１００Ａの入力端子Ｔ１Ａ及びＴ２Ａに接続されるとともに、入力端子Ｔ１Ａ及びＴ２Ａにおいて配線分岐されて電源装置１００Ｂの入力端子Ｔ１Ｂ及びＴ２Ｂに接続される。電源装置１００Ａの出力端子Ｔ３Ａ及びＴ４Ａが配線Ｗ１Ａ及びＷ２Ａを介してＬＥＤモジュール７００Ａの端子Ｔ５Ａ及びＴ６Ａにそれぞれ接続される。同様に、電源装置１００Ｂの出力端子Ｔ３Ｂ及びＴ４Ｂが配線Ｗ１Ｂ及びＷ２Ｂを介してＬＥＤモジュール７００Ｂの端子Ｔ５Ｂ及びＴ６Ｂにそれぞれ接続される。
【００２０】
調光信号発生源Ｄは端子Ｔ７及びＴ８を介して電源装置１００Ａに接続される。本実施形態では、調光信号発生源Ｄが発生する調光信号は、例えば、ＡＣ２００Ｖの信号であり、信号の有無によって調光度を示すものとする。具体的には、例えば、調光信号（ＡＣ２００Ｖの電圧）がオフ状態であることによって全光点灯が指示され、調光信号がオン状態であることによって調光点灯が指示される。ただし、調光信号の形式は上記に限られない。例えば、調光信号はＰＷＭ信号であってもよく、この場合、調光率に応じてＰＷＭ信号のオンデューティが設定される。
【００２１】
ＬＥＤモジュール７００Ａは、端子Ｔ６Ａと端子Ｔ７Ａ間に直列接続された複数のＬＥＤ素子からなるＬＥＤ７１Ａを含む。なお、図においては、各ＬＥＤモジュールにおいて直列接続された単列のＬＥＤアレイを示すが、各ＬＥＤモジュールにおいて、複数列のＬＥＤアレイが並列接続されていてもよい。ＬＥＤモジュール７００Ｂの構成は、ＬＥＤモジュール７００Ａの構成と同様である。また、ＬＥＤモジュール７００Ａ及び７００Ｂは、ＬＥＤ電源装置１００と同じ筐体において一体化されていてもよいし、別個の筐体において別体として構成されていてもよい。また、ＬＥＤモジュール７００Ａ及び７００Ｂも一体化されていてもよいし、別体として構成されていてもよい。
【００２２】
電源装置１００Ａは、直流電源回路２００Ａ、検出回路３００Ａ、補助電源回路４００Ａ、駆動制御回路５００Ａ及び調光制御回路６００を備える。一方、電源装置１００Ｂは、直流電源回路２００Ｂ、検出回路３００Ｂ、補助電源回路４００Ｂ及び駆動制御回路５００Ｂを備える。言い換えると、調光制御回路６００は電源装置１００Ａに含まれ、電源装置１００Ｂには含まれない。例えば、直流電源回路、検出回路、補助電源回路、駆動制御回路及び調光制御回路を実装可能な（すなわち、そのようなパターン配線の）２枚の基板が設けられ、一方の基板には調光制御回路６００を含む上記全回路が実装され、他方の基板には調光制御回路以外の上記回路が実装されるようにしてもよい。これにより、基板の標準化が可能となる。電源装置１００Ａの端子Ｔ９Ａ、Ｔ１０Ａ及びＴ１１Ａと、電源装置１００Ｂの端子Ｔ９Ｂ、Ｔ１０Ｂ及びＴ１１Ｂとは、それぞれ配線Ｗ３、Ｗ４及びＷ５を介して相互に接続される。このように、１つの調光制御回路６００を共有する電源装置１００Ａと電源装置１００Ｂとが簡素な配線で接続される。
【００２３】
直流電源回路２００Ａは、入力整流回路２１０Ａ及びＤＣ／ＤＣコンバータ２２０Ａを含む。直流電源回路２００Ｂの構成は直流電源回路２００Ａの構成と同様であるので、以降において、直流電源回路２００Ａについてのみ説明し、直流電源回路２００Ｂの説明を省略する。
【００２４】
入力整流回路２００Ａは、電流ヒューズ１Ａ及び２Ａ、ダイオードブリッジ３Ａ、入力コンデンサ４Ａ、並びに必要に応じてノイズフィルタを備える。入力整流回路２００Ａには交流電源ＡＣ（例えば商用電源）からの交流電圧が入力され、ダイオードブリッジ３Ａによる全波整流出力がＤＣ／ＤＣコンバータ２２０Ａに入力される。
【００２５】
ＤＣ／ＤＣコンバータ２２０Ａは、本実施形態においては絶縁型フライバックコンバータからなり、力率改善機能を持つ、いわゆるワンコンバータ方式のフライバック降圧回路を構成する。ＤＣ／ＤＣコンバータ２２０Ａは、ＭＯＳＦＥＴ等からなるスイッチング素子５Ａ、トランス６Ａ、抵抗７Ａ、ダイオード８Ａ、及び出力コンデンサ９Ａ（以下、「コンデンサ９Ａ」ともいう）を含む。以降において、トランス６Ａの一次巻線側の基準電位を一次側グランドＧ１ａ（電源回路１００ＢにおいてはＧ１ｂ）といい、二次巻線側の基準電位を二次側グランドＧ２というものとする。ＤＣ／ＤＣコンバータ２２０Ａは力率改善型であるので、出力コンデンサ９Ａが低周波リップル（入力電源周波数に基づくリップル）の平滑機能を担う。したがって、入力コンデンサ４Ａの容量≪出力コンデンサ９Ａの容量であり、例えば、入力コンデンサ４Ａはフィルムコンデンサからなり、出力コンデンサ９Ａは電解コンデンサからなる。
【００２６】
ＤＣ／ＤＣコンバータ２２０Ａにおいて、スイッチング素子５Ａのオン期間にトランス６Ａの一次巻線によってエネルギーが蓄積され、スイッチング素子５Ａのオフ期間にそのエネルギーがトランス６Ａの二次巻線側からダイオード８Ａを介してコンデンサ９Ａに充電される。ＤＣ／ＤＣコンバータ２２０Ａの出力は、スイッチング素子５ＡのＰＷＭ制御におけるオンデューティ（オン幅）、トランス６Ａの一次巻線に対する二次巻線の巻数比等によって決まる。スイッチング素子５Ａは、駆動制御回路５００Ａ（後述のスイッチング用制御ＩＣ１０Ａ）によって駆動され、制御ＩＣ１０Ａは、抵抗７Ａによって検出されるスイッチング素子５Ａの電流を参照して駆動状態を適宜調整する。なお、以降の説明において、ＤＣ／ＤＣコンバータ２２０Ａの出力電圧及び出力電流をそれぞれ「出力電圧」及び「出力電流」という。
【００２７】
検出回路３００Ａは、電圧検出抵抗１１Ａ、１２Ａ及び１３Ａからなる電圧検出回路、並びに電流検出抵抗１４Ａからなる電流検出回路を含む。電圧検出抵抗１１Ａ、１２Ａ及び１３ＡはＤＣ／ＤＣコンバータ２２０Ａのコンデンサ９Ａに並列接続された分圧抵抗回路からなり、出力電圧に比例した電圧が抵抗１３Ａに発生する。電流検出抵抗１４Ａは二次側グランドＧ２と端子Ｔ４Ａの間に挿入された低抵抗素子からなり、出力電流に比例した電圧が電流検出抵抗１４に発生する。検出回路３００Ｂの構成は、検出回路３００Ａの構成と同様である。
【００２８】
補助電源回路４００Ａは、トランス６Ａの一次側補助巻線、ダイオード１５Ａ及びコンデンサ１６Ａを含む一次側補助電源回路、並びにトランス６Ａの二次側補助巻線、ダイオード１７Ａ及びコンデンサ１８Ａを含む二次側補助電源回路を備える。補助電源回路４００Ａは、スイッチング素子５Ａのスイッチング動作に基づいて駆動制御回路５００Ａ及び調光制御回路６００の制御電源を生成する。一次側補助巻線に発生する電圧がダイオード１５Ａ及びコンデンサ１６Ａによって整流及び平滑され、この平滑された電圧が、必要に応じてシリーズレギュレータ、ツェナーダイオード等（不図示）で定電圧化され、駆動制御回路５００Ａの一次側回路の制御電圧Ｖｓ１として供給される。二次側補助巻線に発生する電圧はダイオード１７Ａ及びコンデンサ１８Ｂによって整流及び平滑される。コンデンサ１８Ｂの電圧は、駆動制御回路５００Ａの二次側回路及び調光制御回路６００の制御電圧Ｖｃｃ１として供給される。なお、制御電圧Ｖｃｃ１は、トランス６Ａの補助巻線から得られる電圧に加えて、又はそれに代えてはコンデンサ９Ａの電圧をもとに供給されるようにしてもよい。補助電源回路４００Ｂの構成は補助電源回路４００Ａの構成と同様であり、補助電源回路４００Ｂは一次側の制御電圧Ｖｓ２及び二次側の制御電圧Ｖｃｃ２を生成する。
【００２９】
駆動制御回路５００Ａは、ノードＡ１、Ａ２、Ｖｓ１、Ｇ１ａ、Ｇ２、Ｖｃｃ１、Ａ３、Ａ４及びＡ５を有し、これらは駆動制御回路５００ＢのノードＢ１、Ｂ２、Ｖｓ２、Ｇ１ｂ、Ｇ２、Ｖｃｃ２、Ｂ３、Ｂ４及びＢ５にそれぞれ相当する。ノードＡ１（Ｂ１）はスイッチング素子５Ａ（５Ｂ）のゲートに接続され、ノードＡ２（Ｂ２）はスイッチング素子５Ａ（５Ｂ）のソース端子と抵抗７Ａ（７Ｂ）の接続点に接続される。ノードＡ３及びＡ４（Ｂ３及びＢ４）には検出回路３００Ａ（３００Ｂ）から出力電圧の検出値及び出力電流の検出値がそれぞれ入力される。ノードＡ５（Ｂ５）には、調光制御回路６００からの電流目標値Ｓ１（Ｓ２）が入力される。ノードＧ１ａ（Ｇ１ｂ）は一次側グランドＧ１ａ（Ｇ１ｂ）と同電位であり、ノードＧ２は二次側グランドＧ２と同電位である。ノードＶｓ１及びＶｃｃ１（Ｖｓ２及びＶｃｃ２）はそれぞれ制御電圧Ｖｓ１及びＶｃｃ１（Ｖｓ２及びＶｃｃ２）と同電位である。
【００３０】
図２に、駆動制御回路５００Ａ及び５００Ｂ並びに調光制御回路６００を示す。駆動制御回路５００Ｂの構成は駆動制御回路５００Ａの構成と実質的に同様であるので、以降においては、主に駆動制御回路５００Ａについて説明する。なお、図の明瞭化のため、制御電圧Ｖｃｃ１及びＶｃｃ２、二次側グランドＧ２等に関する結線については図示を省略してある。
【００３１】
駆動制御回路５００Ａの一次側回路は、制御ＩＣ１０Ａ及びフォトカプラ２６Ａ（フォトトランジスタの部分）を含む。制御ＩＣ１０Ａは、フォトカプラ２６Ａのフォトトランジスタの出力状態に基づくオン幅でスイッチング素子５ＡをＰＷＭ制御する。制御ＩＣ１０Ａには、必要に応じて周辺回路部品が接続されていてもよい。
【００３２】
駆動制御回路５００Ａの二次側回路は、電圧レギュレータ回路１９Ａ、オペアンプ２０Ａ及び２１Ａ、ダイオード２２Ａ及び２３Ａ、抵抗２４Ａ及び２５Ａ並びにフォトカプラ２６Ａ（フォトダイオードの部分）を含む。概略として、電圧レギュレータ回路１９Ａは、例えばシリーズレギュレータ、三端子レギュレータ等からなり、制御電源Ｖｃｃ１を定電圧化する。オペアンプ２１Ａは出力電流を一定化させる機能を担う定電流制御用のオペアンプであり、オペアンプ２０Ａは出力電圧を一定化させる機能を担う定電圧制御用のオペアンプである。そして、ＤＣ／ＤＣコンバータ２２０Ａの出力状態に応じて、定電流制御及び定電圧制御の一方がダイオード２２Ａ及び２３ＡからなるダイオードＯＲ回路によって選択され、フォトカプラ２６Ａの入力状態が決定される。すなわち、スイッチング素子５Ａは、駆動制御回路５００Ａによって定電流制御又は定電圧制御のいずれか一方を行うようにＰＷＭ制御される。ただし、以降の説明においては、特に断りがない限り、定電流制御が選択されているものとする。
【００３３】
定電流制御用のオペアンプ２１Ａの負入力端子（−）には電流検出抵抗１４Ａによって検出された電流検出値が入力され、正入力端子（＋）には出力電流の目標値、すなわち電流目標値Ｓ１を示す信号が調光制御回路６００（電流調整回路６２０）から入力される。なお、オペアンプ２１Ａの負入力端子と出力端子間には不図示の帰還素子（抵抗、コンデンサ、又はこれらの直列回路若しくは並列回路）が接続されるものとする。オペアンプ２１Ａは、負入力端子に入力される電流検出値と、正入力端子に入力される電流目標値との誤差を増幅して出力する。言い換えると、ダイオード２３Ａがオンされて定電流制御が選択されている場合には、オペアンプ２１Ａは電流検出値が電流目標値に一致するようにＰＷＭ制御におけるオン幅を決定することになる。
【００３４】
定電圧制御用のオペアンプ２０Ａの負入力端子（−）には電圧検出抵抗１１Ａ〜１３Ａによって検出された電圧検出値が入力され、正入力端子（＋）には出力電圧の目標値（電圧上限値）に対応する電圧値が電圧源Ｖｒｅｆから入力される。電圧源Ｖｒｅｆは、電圧レギュレータ１９Ａの出力電圧の分圧である。なお、オペアンプ２０Ａの負入力端子と出力端子間にも不図示の帰還素子が接続されるものとする。オペアンプ２０Ａは、負入力端子に入力される電圧検出値と、正入力端子に入力される上限値との誤差を増幅して出力する。言い換えると、ダイオード２２Ａがオンされて定電圧制御が選択されている場合には、オペアンプ２０Ａは電圧検出値が電圧上限値に一致するようにＰＷＭ制御におけるオン幅を決定することになる。
【００３５】
ダイオード２２Ａ及び２３ＡからなるダイオードＯＲ回路は、オペアンプ２０Ａの出力端子電圧又はオペアンプ２０Ｂの出力端子電圧のいずれか低い方に対してオンする。ダイオードＯＲ回路の共通アノードはフォトカプラ２６Ａのフォトダイオードのカソード側に接続される。フォトカプラ２６Ａのフォトダイオードのアノードは電圧レギュレータ１９Ａの出力に抵抗２４Ａを介して接続され、フォトダイオードに抵抗２５Ａが並列接続される。なお、抵抗２４Ａはフォトダイオードのカソード側に挿入されていてもよい。フォトカプラ２６Ａのフォトトランジスタには、フォトダイオードに流れる電流（発光）に応じた出力電流が流れる。前述したように、制御ＩＣ１０Ａはフォトカプラ２６Ａのフォトトランジスタの出力状態に応じたパルス幅のＰＷＭ駆動信号を生成し、それをスイッチング素子５Ａのゲート電圧として出力する。
【００３６】
図１及び図２を参照して、調光制御回路６００を説明する。調光回路６００は、ダイオード２７及び２８、電圧レギュレータ回路６１０、マイコンを含む電流調整回路６２０、及び調光入力回路６３０を備える。調光入力回路６３０は、抵抗２９〜３１、ダイオード３２及びフォトカプラ３３を備える。
【００３７】
電圧レギュレータ回路６１０には、補助電源回路４００Ａで生成された制御電圧Ｖｃｃ１がダイオード２７を介して入力されるとともに、補助電源回路４００Ｂで生成された制御電圧Ｖｃｃ２がダイオード２８を介して入力される。電圧レギュレータ回路６１０は、例えば三端子レギュレータ、シリーズレギュレータ等からなり、入力される制御電圧Ｖｃｃ１又はＶｃｃ２から電流調整回路６２０のマイコンの制御電源を生成する。ここで、制御電圧Ｖｃｃ１及びＶｃｃ２の一方の供給によって電流調整回路６２０が動作可能となるように、補助電源回路４００Ａ及び４００Ｂ並びに電圧レギュレータ回路６１０が構成される。なお、本実施形態では、ダイオード２７及び２８の双方が電源装置１００Ａに含まれる構成を示すが、ダイオード２７のみが電源装置１００Ａに含まれ、ダイオード２８が電源装置１００Ｂに含まれていてもよい。
【００３８】
調光入力回路６３０において、端子Ｔ７及びＴ８から入力される調光信号（例えば、ＡＣ２００Ｖの信号）が、抵抗２９及び３０と抵抗３１によって分圧され、ダイオード３２で半波整流され、フォトカプラ３３のフォトダイオードに入力される。フォトカプラ３３のフォトトランジスタには、調光信号がオンの場合には電流が発生し、調光信号がオフの場合には電流が発生しない。
【００３９】
電流調整回路６２０は、フォトカプラ３３のフォトトランジスタの電流によって調光信号を検出する。前述したように、本実施形態では、調光信号がオフの場合に全光点灯が実行され、調光信号がオンの場合に調光点灯が実行されるものとする。したがって、電流調整回路６２０は、フォトカプラ３３の出力がない場合には、全光点灯に対応する電流目標値Ｓ１及びＳ２を駆動制御回路５００Ａ及び５００Ｂにそれぞれ出力し、フォトカプラ３３の出力がある場合には、調光点灯に対応する電流目標値Ｓ１及びＳ２を駆動制御回路５００Ａ及び５００Ｂにそれぞれ出力する。なお、本実施形態では、全光点灯時における電流目標値Ｓ１及びＳ２は相互に等しい値であり、調光点灯時における電流目標値Ｓ１及びＳ２も相互に等しい値であるものとする。
【００４０】
したがって、ＬＥＤ電源装置１００及びＬＥＤ照明装置１５０の正常な場合の動作は、以下のようになる。調光制御回路６００において調光信号のオフ／オンに基づいて電流目標値Ｓ１及びＳ２が決定され、電流目標値Ｓ１及びＳ２が駆動制御回路５００Ａ及び５００Ｂに入力される。そして、駆動制御回路５００Ａ及び５００Ｂが、それぞれ電流目標値Ｓ１及びＳ２に応じて直流電源回路２００Ａ及び２００Ｂ（ＤＣ／ＤＣコンバータ２２０Ａ及び２２０Ｂ）を制御し、ＬＥＤ７０Ａ及び７０Ｂの全光点灯／調光点灯が行われる。
【００４１】
ここで、直流電源回路２００Ａの故障等によりＤＣ／ＤＣコンバータ２２０Ａが停止した場合、ＬＥＤ７０Ａが消灯するとともに制御電圧Ｖｃｃ１が生成されなくなる。また、ＬＥＤ７０Ａの断線等により出力電圧が過電圧状態（無負荷状態）となった場合にも、駆動制御回路５００Ａのオペアンプ２０Ａの作用によりＤＣ／ＤＣコンバータ２２０Ａが間欠駆動状態となり、充分な制御電圧Ｖｃｃ１が生成されなくなる。ここで、電源装置１００Ｂが正常であるものとすると、ＤＣ／ＤＣコンバータ２２０Ｂの動作によって制御電圧Ｖｃｃ２が生成され、上述したように制御電圧Ｖｃｃ２によって調光制御回路６００（電流調整回路６２０）が動作する。したがって、電流目標値Ｓ１及びＳ２が駆動制御回路５００Ａ及び５００Ｂに入力され、駆動制御回路５００Ｂのみが、電流目標値Ｓ２に応じて直流電源回路２００Ｂ（ＤＣ／ＤＣコンバータ２２０Ｂ）を制御し、ＬＥＤ７０Ｂの全光点灯又は調光点灯が行われる。これにより、直流電源回路２００Ａの停止時等においてもＬＥＤ照明装置１５０の消灯状態が回避されるとともに調光制御が実行される。
【００４２】
また、同様に、直流電源回路２００Ｂの故障等によりＤＣ／ＤＣコンバータ２２０Ｂが停止した場合、ＬＥＤ７０Ｂが消灯するとともに制御電圧Ｖｃｃ２が生成されなくなる。また、ＬＥＤ７０Ｂの断線等により出力電圧が過電圧状態（無負荷状態）となった場合にも、駆動制御回路５００Ｂのオペアンプ２０Ｂの作用によりＤＣ／ＤＣコンバータ２２０Ｂが間欠駆動状態となり、充分な制御電圧Ｖｃｃ２が生成されなくなる。ここで、電源装置１００Ａが正常であるものとすると、ＤＣ／ＤＣコンバータ２２０Ａの動作によって制御電圧Ｖｃｃ１が生成され、上述したように制御電圧Ｖｃｃ１によって調光制御回路６００（電流調整回路６２０）が動作する。したがって、電流目標値Ｓ１及びＳ２が駆動制御回路５００Ａ及び５００Ｂに入力され、駆動制御回路５００Ａのみが、電流目標値Ｓ１に応じてＤＣ／ＤＣコンバータ２２０Ａを制御し、ＬＥＤ７０Ａの全光点灯又は調光点灯が行われる。これにより、直流電源回路２００Ｂの停止時等においてもＬＥＤ照明装置１５０の消灯状態が回避されるとともに調光制御が実行される。
【００４３】
以上のように、本実施形態のＬＥＤ電源装置１００は、交流電源ＡＣから直流出力電流を生成して出力電流をＬＥＤ７０Ａに供給する直流電源回路２００Ａと、電流目標値Ｓ１に基づいて直流電源回路２００Ａに出力電流を出力させる駆動制御回路５００Ａと、交流電源ＡＣから直流出力電流を生成して出力電流をＬＥＤ７０Ｂに供給する直流電源回路２００Ｂと、電流目標値Ｓ２に基づいて直流電源回路２００Ｂに出力電流を出力させる駆動制御回路５００Ｂと、入力調光信号に基づいて電流目標値Ｓ１及びＳ２を決定し、電流目標値Ｓ１及びＳ２を駆動制御回路５００Ａ及び５００Ｂにそれぞれ出力する調光制御回路６００を備える。そして、直流電源回路２００Ａの動作に基づいて生成される制御電圧Ｖｃｃ１及び直流電源回路２００Ｂの動作に基づいて生成される制御電圧Ｖｃｃ２を調光制御回路６００に供給するダイオード２７及び２８が動作保持手段として設けられ、調光制御回路６００は、制御電圧Ｖｃｃ１及びＶｃｃ２の少なくとも一方の供給によって動作可能に構成される。この構成により、少なくとも以下の効果が得られる。
【００４４】
（１）装置の低コスト化及び調光配線の簡素化
一方の系統の停止による他方の系統の消灯が回避される機能を確保しつつも１つの調光制御回路６００が２系統出力において共有される構成が実現され、２系統調光出力用のＬＥＤ電源装置及びＬＥＤ照明装置において、低コスト化及び調光配線の簡素化が可能となる。
【００４５】
（２）確実な調光制御の実行
直流電源回路２００Ａ又は２００Ｂが停止した場合であっても調光制御回路６００の制御電圧が確保され、これにより電流目標値Ｓ２又はＳ１が出力される。したがって、一方の系統のＬＥＤが消灯しても他方の系統のＬＥＤの調光制御が確実に実行される。
【００４６】
（３）電源装置間の配線の簡素化
直流電源回路２００Ａ、駆動制御回路５００Ａ及び調光制御回路６００を含む電源装置１００Ａが一方の基板に実装され、直流電源回路２００Ｂ及び駆動制御回路５００Ｂを含む電源装置１００Ｂが他方の基板に実装される。この構成により、１つの調光制御回路６００を共有する電源装置１００Ａと電源装置１００Ｂとの間の簡素な配線接続が可能となる。
【００４７】
＜第２の実施形態＞
上記第１の実施形態では、一方の系統の直流電源回路２００Ａ（２００Ｂ）が停止した場合に他方の系統の直流電源回路２００Ｂ（２００Ａ）が調光信号に応じて全光点灯又は調光点灯を行う構成を示した。本実施形態では、一方の系統の直流電源回路２００Ａ（２００Ｂ）が停止した場合に他方の系統の直流電源回路２００Ｂ（２００Ａ）が出力電流を増加させ、又は全光点灯を行う構成を示す。本実施形態と第１の実施形態とは、調光制御回路６００が異なり、他の構成要素は同じである。
【００４８】
図３に、本実施形態のＬＥＤ電源装置１００における駆動制御回路５００Ａ及び５００Ｂ並びに調光制御回路６００を示す。本実施形態の調光制御回路６００は、制御電圧Ｖｃｃ１及びＶｃｃ２の供給状態を検出する制御電圧検出手段を備える。その制御電圧検出手段に関する構成の一例として、制御電圧Ｖｃｃ１が抵抗３４及び３５からなる分圧回路を介して電流調整回路６２０に入力され、制御電圧Ｖｃｃ２が抵抗３６及び３７からなる分圧回路を介して電流調整回路６２０に入力される。また、必要に応じて、電流調整回路６２０のマイコンへの印加電圧を制限する回路が付加されていてもよい。これにより、電流調整回路６２０において、制御電圧Ｖｃｃ１及びＶｃｃ２の有無が、それぞれ検出信号ｄ１及びｄ２として検出される。なお、図の明瞭化のため、制御電圧Ｖｃｃ１及びＶｃｃ２、二次側グランドＧ２等に関する結線については図示を省略している。
【００４９】
ここで、電源装置１００Ａ側において、直流電源回路２００Ａの故障等によりＤＣ／ＤＣコンバータ２２０Ａが停止した場合、ＬＥＤ７０Ａが消灯するとともに制御電圧Ｖｃｃ１が生成されなくなる。また、ＬＥＤ７０Ａの断線等により出力電圧が過電圧状態（無負荷状態）となった場合にも、駆動制御回路５００Ａのオペアンプ２０Ａの作用によりＤＣ／ＤＣコンバータ２２０Ａが間欠駆動状態となり、充分な制御電圧Ｖｃｃ１が生成されなくなる。したがって、検出信号ｄ１がローレベルとなり、電流調整回路６２０は、制御電源Ｖｃｃ１が実質的に供給されていないこと、したがってＬＥＤ７０Ａが消灯状態にあることを検出できる。同様に、電源装置１００Ｂ側において充分な制御電圧Ｖｃｃ２が生成されなくなると、検出信号ｄ２がローレベルとなり、電流調整回路６２０は、制御電源Ｖｃｃ２が実質的に供給されていないこと、したがってＬＥＤ７０Ｂが消灯状態にあることを検出できる。
【００５０】
電流調整回路６２０は、制御電圧Ｖｃｃ１が実質的に供給されていないことを検出すると、電流目標値Ｓ２を所定の電流目標値Ｓ２´に上昇させる。この場合の電流目標値Ｓ１の値は任意であるが、消費電力低減のためにその出力が停止されることが好ましい。同様に、電流調整回路６２０は、制御電圧Ｖｃｃ２が実質的に供給されていないことを検出すると、電流目標値Ｓ１を所定の電流目標値Ｓ１´に上昇させる。この場合の電流目標値Ｓ２の値も任意であるが、消費電力低減のためにその出力が停止されることが好ましい。
【００５１】
所定の電流目標値Ｓ１´及びＳ２´は、例えば全光出力に対応する値であればよい。この場合、制御電圧Ｖｃｃ１の低下前に全光出力が行われていた場合には、Ｓ２＝Ｓ２´であり、制御電圧Ｖｃｃ２の低下前に全光出力が行われていた場合には、Ｓ１＝Ｓ１´である。また、所定の電流目標値Ｓ１´及びＳ２´は、同じ調光信号発生源Ｄに接続されて道路に沿って配列された他の正常なＬＥＤ照明装置１５０の発光輝度とのバランスを考慮して決定されるようにしてもよい。例えば、調光信号発生源Ｄから各ＬＥＤ照明装置１５０への調光信号の示す調光率がＤｘ％である場合に、所定の電流目標値Ｓ１´及びＳ２´は、１．５×Ｄｘ％の調光率に対応する値等に設定されてもよい。例えば、Ｄｘ％が５０％である場合に、電流目標値Ｓ１´及びＳ２´が示す調光率は７５％となる。ここで、所定の電流目標値Ｓ１´及びＳ２´は、ＬＥＤ７０Ａ及び７０Ｂの寿命、直流電源回路２００Ａ及び２００Ｂを構成する各部品のディレーティング等を考慮しつつ、全光点灯に対応する電流目標値より高い値（例えば、調光率１５０％に対応する値等）に設定されてもよい。
【００５２】
以上のように、本実施形態によると、調光制御回路６２０は、制御電圧Ｖｃｃ１及びＶｃｃ２の供給状態を検出する分圧回路３４〜３７を備え、制御電圧Ｖｃｃ１が実質的に供給されなくなったことが検出された場合に電流目標値Ｓ２を上昇させ、又は全光出力に対応する値に決定し、制御電圧Ｖｃｃ２が実質的に供給されなくなったことが検出された場合に電流目標値Ｓ１を上昇させ、又は全光出力に対応する値に決定するように構成される。したがって、本実施形態では、第１の実施形態に関して上述した（１）低コスト化及び調光配線の簡素化及び（３）電源装置間の配線の簡素化の効果に加えて、以下の効果が得られる。
【００５３】
（４）一系統消灯時の減光度の軽減
一方の系統のＬＥＤ７０Ａ又は７０Ｂが消灯した場合であっても、他方の系統のＬＥＤ７０Ｂ又は７０Ａが増光され、又は全光状態となるので、ＬＥＤ７０Ａ及び７０Ｂ全体、すなわちＬＥＤ照明装置１５０全体としての減光度が軽減される。
【００５４】
＜第３の実施形態＞
上記第１及び第２の実施形態では、調光制御回路６００が制御電圧Ｖｃｃ１及び制御電圧Ｖｃｃ２の供給を受けて動作する構成を示したが、本実施形態では、調光制御回路６００が制御電圧Ｖｃｃ１の供給のみを受けて動作する構成を示す。本実施形態と第１の実施形態とは、駆動制御回路５００Ｂ及び調光制御回路６００が異なり、他の構成要素は同じである。
【００５５】
図４に、本実施形態のＬＥＤ電源装置１００における駆動制御回路５００Ａ及び５００Ｂ並びに調光制御回路６００を示す。本実施形態の調光制御回路６００には、ＤＣ／ＤＣコンバータ２２０Ａの動作に基づいて補助電源回路４００Ａによって生成される制御電圧Ｖｃｃ１が供給され、制御電圧Ｖｃｃ２は供給されない。したがって、図１における配線Ｗ３は不要となる。駆動制御回路５００Ｂにおいて、オペアンプ２１Ｂの正入力端子には抵抗３８Ｂを介して抵抗３９Ｂ及び４０Ｂが接続され、更にノードＢ５を介して電流調整回路６２０が接続される。抵抗３９Ｂ及び４０Ｂは分圧回路であり、電圧レギュレータ回路１９Ｂの出力電圧を分圧する。したがって、電流目標値Ｓ２は、抵抗３８Ｂ〜４０Ｂが接続された状態において全光点灯又は調光点灯が実行されるように設定される。なお、図の明瞭化のため、制御電圧Ｖｃｃ１及び二次側グランドＧ２に関する結線については図示を省略している。
【００５６】
ここで、直流電源回路２００Ａの故障等によりＤＣ／ＤＣコンバータ２２０Ａが停止した場合、ＬＥＤ７０Ａが消灯するとともに制御電圧Ｖｃｃ１が生成されなくなる。また、ＬＥＤ７０Ａの断線等により出力電圧が過電圧状態（無負荷状態）となった場合にも、駆動制御回路５００Ａのオペアンプ２０Ａの作用によりＤＣ／ＤＣコンバータ２２０Ａが間欠駆動状態となり、充分な制御電圧Ｖｃｃ１が生成されなくなる。したがって、電流調整回路６２０は動作を停止し、電流目標値Ｓ１及びＳ２を出力しなくなる。これにより、駆動制御回路５００ＢのノードＢ５はオープン状態となり、オペアンプ２１Ｂの負入力端子には、抵抗３９Ｂ及び４０Ｂの分圧回路によって決まる固定電圧値が電流目標値として入力される。この固定の電流目標値に従って駆動制御回路５００Ｂが直流電源回路２００Ｂを制御し、ＬＥＤ７０Ｂが点灯される。
【００５７】
上記固定電圧値は、少なくとも、ＬＥＤ７０Ｂを消灯させないための値に設定される必要がある。好ましくは、上記固定電圧値は、全光点灯の電流目標値に対応する値に設定されもよいし、ＬＥＤ７０Ｂの寿命、直流電源回路２００Ｂを構成する各部品のディレーティング等を考慮しつつ、全光点灯の電流目標値を超える値に設定されてもよい。
【００５８】
一方、電源装置１００Ｂの動作状態は、電源装置１００Ａの動作に影響を与えない。したがって、第１の実施形態の場合と同様に、電源装置１００Ｂ（直流電源回路２００Ｂ）の停止時においても、電源装置１００Ａは調光信号に基づいてＬＥＤ７０Ａを全光点灯又は調光点灯させる。
【００５９】
以上のように、本実施形態によると、直流電源回路２００Ａの動作に基づいて生成される制御電圧Ｖｃｃ１を調光制御回路６２０に供給するダイオード２７と、電源装置１００Ａ（直流電源回路２００Ａ及び調光制御回路６２０）が動作を停止した場合に、直流電源回路２００Ｂの動作に基づいて生成される制御電圧Ｖｃｃ２から生成される固定電圧値を電流目標値Ｓ２として出力する抵抗３９Ｂ及び４０Ｂが動作保持手段として設けられる。これにより、本実施形態では、第１の実施形態に関して上述した（１）低コスト化及び調光配線の簡素化の効果に加えて、以下の効果が得られる。
【００６０】
（３α）電源装置間の配線の更なる簡素化
調光制御回路６００が含まれない電源装置１００Ｂからの制御電圧Ｖｃｃ２を、調光制御回路６００が含まれる電源装置１００Ａに接続するための配線を省略することができる。したがって、電源装置１００Ａ（調光制御回路６００）と電源装置１００Ｂの間の配線を更に簡素化することが可能となる。
【００６１】
（５）一系統消灯時の減光度の軽減
電流目標値としての上記固定電圧値が、全光出力に対応する電流目標値以上の値に設定される。したがって、一方の系統であるＬＥＤ７０Ａが消灯した場合であっても、他方の系統のＬＥＤ７０Ｂが全光状態又は増光状態となるので、ＬＥＤ７０Ａ及び７０Ｂ全体、すなわちＬＥＤ照明装置１５０全体としての減光度が軽減される。
【００６２】
＜変形例＞
以上に本発明の好適な実施形態を示したが、本発明は、例えば以下に示すように種々の態様に変形可能である。
【００６３】
（１）出力電流制御の変形
上記各実施形態では、各電源装置において出力電流が定電流制御（フィードバック制御）される構成を示したが、図５に示すように、出力電流がフィードフォワード制御される構成も可能である。図５に、第１の実施形態においてフィードフォワード制御が適用される場合の回路構成を示す。図５に示すように、駆動制御回路５００Ａ及び５００Ｂの基準電位は同一の一次側グランドＧ１であり、一次側の制御電圧Ｖｓ１及びＶｓ２が調光制御回路６２０に供給され、二次側の制御電圧は生成されない。そして、目標電流値Ｓ１及びＳ２がそれぞれ制御ＩＣ１０Ａ及び１０Ｂに直接入力される。なお、第２及び第３の実施形態においても、図５に示すようなフィードフォワード制御が適用可能である。
【００６４】
（２）ＤＣ／ＤＣコンバータ２２０Ａ及び２２０Ｂの変形
上記各実施形態では、ＤＣ／ＤＣコンバータ２２０Ａ及び２２０Ｂとして力率改善型の絶縁型フライバクコンバータを採用したが、力率改善回路（昇圧チョッパ回路）及びフライバックコンバータの組合せ、力率改善回路（昇圧チョッパ回路）及び降圧チョッパ回路の組合せ等、他の形式のコンバータ回路が採用されてもよい。
【００６５】
（３）補助電源回路４００Ａ及び４００Ｂの変形
上記各実施形態では、制御電圧Ｖｃｃ１及びＶｃｃ２が、駆動制御回路５００Ａ及び５００Ｂ並びに調光制御回路６００においてそれぞれ定電圧化される構成を示したが、補助電源回路４００Ａ及び４００Ｂにおいて各制御電圧が定電圧化される構成としてもよい。この場合、定電圧化された制御電圧が、それぞれ駆動制御回路５００Ａ及び５００Ｂ並びに調光制御回路６００に供給されるので、電圧レギュレータ回路１９Ａ、１９Ｂ及び６１０はなくてもよい。
【００６６】
（４）調光制御回路６００の配置の変形
上記各実施形態では、電源装置１００Ａと電源装置１００Ｂとの間の配線を簡素化する構成として調光制御回路６００が電源装置１００Ａに含まれる構成を示したが、調光制御回路６００が電源装置１００Ａ及び１００Ｂから別置される構成も可能である。すなわち、調光制御回路６００は、電源装置１００Ａ及び１００Ｂが実装された基板とは異なる第３の基板に実装されるようにしてもよい。この場合、調光制御回路６００と電源装置１００Ａとの間及び調光制御回路６００と電源装置１００Ｂとの間の配線が必要になるが、電源装置１００Ａが故障等により交換される場合であっても調光制御回路６００の使用を継続できるので、保守コストが低減され得る。
【００６７】
（５）調光信号の変形
上記各実施形態では、調光信号として交流電源（例えば、ＡＣ２００Ｖ）の信号を例示したが、調光入力回路６３０に関して上述したように、調光信号はＰＷＭ信号であってもよい。この場合、調光入力回路６３０において、フォトカプラ３３の前段又は後段に積分回路（平滑回路）が設けられ、電流調整回路６２０にＰＷＭ信号の実効値又は平均値がアナログ値として入力される。電流調整回路６２０は、このアナログ値に応じて調光率、すなわち電流目標値Ｓ１及びＳ２を決定することができる。
【符号の説明】
【００６８】
２７、２８  ダイオード（動作保持手段）
３４、３５、３６、３７  抵抗（制御電圧検出手段）
３９Ｂ、４０Ｂ  抵抗（動作保持手段）
７０Ａ、７０Ｂ  ＬＥＤ
１００  ＬＥＤ電源装置
１００Ａ、１００Ｂ  電源装置
１５０  ＬＥＤ照明装置
２００Ａ、２００Ｂ  直流電源回路
３００Ａ、３００Ｂ  検出回路
４００Ａ、４００Ｂ  補助電源回路
５００Ａ、５００Ｂ  駆動制御回路
６００  調光制御回路
６１０  電圧レギュレータ回路
６２０  電流調整回路
６３０  調光入力回路
７００Ａ、７００Ｂ  ＬＥＤモジュール
【図１】
0006528472.tif 000002
【図２】
0006528472.tif 000003
【図３】
0006528472.tif 000004
【図４】
0006528472.tif 000005
【図５】
0006528472.tif 000006
【図６】
0006528472.tif 000007